(57)【要約】【課題】駅ナカ店舗の利便性を高め、駅全体を活性化させることができる駅ナカ店舗利用システム、画像発行装置、およびプログラムを提供することである。【解決手段】実施形態の駅ナカ店舗利用システムは、第１発行部と、第２発行部と、管理部とを持つ。第１発行部は、端末装置から、駅構内にある店舗である駅ナカ店舗を指定した入場要求を受け付けて、第１の光学読取部を備える自動改札機に翳すことで前記駅構内への入場が可能となる第１画像を生成するための情報を前記端末装置に送信する。第２発行部は、前記端末装置の利用者が前記駅ナカ店舗を利用した後、前記自動改札機に翳すことで駅構外への出場が可能となる第２画像を生成するための情報を前記端末装置に送信する。管理部は、前記自動改札機から前記第１画像に含まれる情報と前記第２画像に含まれる情報とを取得して、前記利用者の駅構内に対する入出場を管理する。【選択図】図１
2018032161.tif 000002
【特許請求の範囲】
【請求項１】
端末装置から、駅構内にある店舗である駅ナカ店舗を指定した入場要求を受け付けて、第１の光学読取部を備える自動改札機に翳すことで前記駅構内への入場が可能となる第１画像を生成するための情報を前記端末装置に送信する第１発行部と、
前記端末装置の利用者が前記駅ナカ店舗を利用した後、前記自動改札機に翳すことで駅構外への出場が可能となる第２画像を生成するための情報を前記端末装置に送信する第２発行部と、
前記自動改札機から前記第１画像に含まれる情報と前記第２画像に含まれる情報とを取得して、前記利用者の駅構内に対する入出場を管理する管理部と、
を備える駅ナカ店舗利用システム。
【請求項２】
前記第１の光学読取部と、
前記第１の光学読取部によって読み取られた情報を前記管理部に送信する通信制御部と、
前記通信制御部によって前記管理部からの指示を受信し、受信した指示に基づいて前記利用者の通過を許可または禁止する通過制御部と、
を有する前記自動改札機を更に備える、
請求項１に記載の駅ナカ店舗利用システム。
【請求項３】
前記駅ナカ店舗の内部または周辺に設置され、前記第１画像を読み取る第２の光学読取部を更に備え、
前記第２発行部は、前記第２の光学読取部から前記第１画像が読み取られたことを示す情報を取得することで、前記第２画像を生成するための情報を前記端末装置に送信する、  請求項１または２に記載の駅ナカ店舗利用システム。
【請求項４】
前記管理部は、
前記第１画像を生成するための情報と、前記第２画像を生成するための情報とが対応付けられた入場者情報を管理し、
前記自動改札機から得られる前記第２画像に含まれる情報が前記入場者情報に存在する場合に、前記利用者の駅構内に対する出場を許可し、許可した旨を示す情報を、前記第２画像が翳された自動改札機に送信し、前記自動改札機から得られる前記第２画像に含まれる情報が前記入場者情報に存在しない場合に、前記利用者の駅構内に対する出場を禁止し、禁止した旨を示す情報を前記第２画像が翳された自動改札機に送信する、
請求項１から３のうち、いずれか１項に記載の駅ナカ店舗利用システム。
【請求項５】
前記管理部は、前記自動改札機から得られる前記第２画像に含まれる情報が前記入場者情報に存在し、前記利用者の駅構内に対する出場を許可した場合に、前記第２画像に含まれる情報に対応付けられた情報を前記入場者情報から削除する、
請求項４に記載の駅ナカ店舗利用システム。
【請求項６】
前記管理部は、
前記自動改札機から前記第１画像を用いて前記利用者を駅構内に入場させるとともに、前記自動改札機から前記第２画像を用いて前記利用者を駅構外に出場させた場合に、前記駅ナカ店舗に前記駅構内への入場に関する費用を請求する、
請求項１から５のうち、いずれか１項に記載の駅ナカ店舗利用システム。
【請求項７】
端末装置から、駅構内にある店舗である駅ナカ店舗を指定した入場要求を受け付けて、第１の光学読取部を備える自動改札機に翳すことで前記駅構内への入場が可能となる第１画像を生成するための情報を生成する入場券発行制御部と、
前記端末装置の利用者が前記駅ナカ店舗を利用した後、前記自動改札機に翳すことで駅構外への出場が可能となる第２画像を生成するための情報を生成する出場券発行制御部と、
前記入場券発行制御部により得られる前記第１画像を生成するための情報と、前記出場券発行制御部により得られる前記第２画像を生成するための情報とを、前記端末装置に送信する通信部と、
を備える画像発行装置。
【請求項８】
端末装置のコンピュータに、
利用者により指定された駅構内にある店舗である駅ナカ店舗への入場要求を受付部により受け付けさせ、
前記受付部により受け付けられた入場要求を画像発行装置に送信し、前記画像発行装置から、光学読取部を備える自動改札機に翳すことで前記駅構内への入場が可能となる第１画像を生成するための情報を取得させ、
前記取得させた第１画像を生成するための情報に基づいて前記第１画像を生成させ、
前記利用者が前記駅ナカ店舗を利用した後、前記自動改札機に翳すことで駅構外への出場が可能となる第２画像を生成するための情報を前記画像発行装置から取得させ、
前記取得させた第２画像を生成するための情報に基づいて前記第２画像を生成させ、
前記第１画像または前記第２画像を表示部に表示させる、
プログラム。
【発明の詳細な説明】
【技術分野】
【０００１】
本発明の実施形態は、駅ナカ店舗利用システム、画像発行装置、およびプログラムに関する。
【背景技術】
【０００２】
従来、駅構内に物販やサービスの提供を行うために設置された店舗（以下、「駅ナカ店舗」と称する）は、駅構内の集客力を高めるとともに、駅全体の活性化を図ることができる。しかしながら、鉄道等の交通システムを利用せずに駅ナカ店舗に行くためには、入場券を購入しなければならず、利用者に負担がかかっていた。そのため、従来では、駅ナカ店舗を有効に活用できず、駅全体を活性化させることができなかった。
【先行技術文献】
【特許文献】
【０００３】
【特許文献１】特開２００７−５８４４６号公報
【特許文献２】特開２００２−３６６９８７号公報
【特許文献３】特許第５３５９１５７号公報
【発明の概要】
【発明が解決しようとする課題】
【０００４】
本発明が解決しようとする課題は、駅ナカ店舗の利便性を高め、駅全体を活性化させることができる駅ナカ店舗利用システム、画像発行装置、およびプログラムを提供することである。
【課題を解決するための手段】
【０００５】
実施形態の駅ナカ店舗利用システムは、第１発行部と、第２発行部と、管理部とを持つ。第１発行部は、端末装置から、駅構内にある店舗である駅ナカ店舗を指定した入場要求を受け付けて、第１の光学読取部を備える自動改札機に翳すことで前記駅構内への入場が可能となる第１画像を生成するための情報を前記端末装置に送信する。第２発行部は、前記端末装置の利用者が前記駅ナカ店舗を利用した後、前記自動改札機に翳すことで駅構外への出場が可能となる第２画像を生成するための情報を前記端末装置に送信する。管理部は、前記自動改札機から前記第１画像に含まれる情報と前記第２画像に含まれる情報とを取得して、前記利用者の駅構内に対する入出場を管理する。
【図面の簡単な説明】
【０００６】
【図１】実施形態における駅ナカ店舗利用システム１の構成の一例を示す図。
【図２】実施形態における端末装置１０の構成の一例を示す図。
【図３】コード画像取得アプリ３１が起動された際に、端末装置１０の表示部１２に入場券を表示させるための入場券取得画面が表示された様子を示す図。
【図４】入場券表示画面が表示された様子を示す図。
【図５】出場券表示画面が表示された様子を示す図。
【図６】実施形態における自動改札機１００を上方から見た図。
【図７】自動改札機１００の画像読取部１１１を上方から見た図。
【図８】自動改札機１００の機能構成の一例を示す図。
【図９】実施形態におけるセンターサーバ装置３００の機能構成の一例を示す図。
【図１０】入場者リスト３３２の一例を示す図。
【図１１】決済情報データベース３３４の一例を示す図。
【図１２】実施形態における店舗サーバ装置４００の機能構成の一例を示す図。
【図１３】店舗−駅対応テーブル４３２の一例を示す図。
【図１４】実施形態における店舗端末５００の外観図。
【図１５】店舗端末５００の画像読取部５１０を上方から見た図。
【図１６】実施形態における店舗端末５００の機能構成の一例を示す図。
【図１７】駅ナカ店舗利用システム１において実行される、駅構内への入場処理の一例を示すシーケンス図。
【図１８】駅ナカ店舗利用システム１において実行される、駅構外への出場処理の一例を示すシーケンス図。
【図１９】端末装置１０において実行される処理の流れの一例を示すフローチャート。
【発明を実施するための形態】
【０００７】
以下、実施形態の駅ナカ店舗利用システム、画像発行装置、およびプログラムを、図面を参照して説明する。
【０００８】
［全体構成］
図１は、実施形態における駅ナカ店舗利用システム１の構成の一例を示す図である。駅ナカ店舗利用システム１は、鉄道の駅における入出場の管理を行うとともに、駅ナカ店舗を利用するために、自動改札機を通過して駅構内に入場するための入場券および駅構外に出場するための出場券の利用状態を管理可能なシステムである。駅ナカ店舗利用システム１は、例えば、端末装置１０と、自動改札機１００と、駅務サーバ装置２００と、センターサーバ装置３００と、店舗サーバ装置（画像発行装置）４００と、店舗端末５００とを備える。図１ではＡ駅のみ示しているが、複数の駅に、自動改札機１００および駅務サーバ装置２００、更に店舗サーバ装置４００が備えられてよい。
【０００９】
端末装置１０は、利用者によって利用される携帯可能な端末装置である。端末装置１０は、例えば、スマートフォン等の携帯電話、タブレット端末、ＰＤＡ（Personal Digital Assistant）等である。駅ナカ店舗利用システム１では、端末装置１０は、自動改札機１００に翳すことにより、駅の構内に入場する入場券として利用される。また、端末装置１０は、自動改札機１００に翳されることにより乗車券として機能するようにしてもよい。
【００１０】
端末装置１０の画面上には、端末装置１０を入場券として機能させるための第１の読取画像ＣＤ１（「第１画像」の一例）が表示される。第１の読取画像ＣＤ１は、利用者が自動改札機１００を通過する際に自動改札機１００によって読み取られる。
【００１１】
第１の読取画像ＣＤ１は、例えば、ＱＲコード（登録商標）等の二次元コードや、バーコード等の一次元コード等である。これらの各種コードは、例えば、駅構内への入場を可能とする情報（以下、「入場情報」と称する）、または入場情報とその他情報とを含めた情報がエンコードされたものである。入場情報は、例えば、有効期限、入場駅の識別情報、第１の読取画像ＣＤ１のそれぞれを識別するコード識別情報（コードＩＤ）等を含む情報である。また、その他情報は、例えば、端末装置１０における設定言語等を含む情報である。なお、第１の読取画像ＣＤ１は、機械（自動改札機１００）によって内容が認識可能であるとともに、人が視認することによって内容が認識できないものであれば如何なる態様であってもよい。
【００１２】
また、端末装置１０には、端末装置１０を出場券として機能させるための第２の読取画像ＣＤ２（「第２画像」の一例）が表示される。第２の読取画像ＣＤ２は、例えば、ＱＲコード等の二次元コードや、バーコード等の一次元コード等である。これらの各種コードは、例えば、駅構外への出場を可能とする情報（以下、「出場情報」と称する）、または出場情報とその他情報とを含めた情報がエンコードされたものである。出場情報は、例えば有効期限、出場駅の識別情報、第２の読取画像ＣＤ２のそれぞれを識別するコード識別情報（コードＩＤ）等を含む情報である。また、その他情報は、例えば、端末装置１０における設定言語等を含む情報である。なお、第２の読取画像ＣＤ２は、機械（自動改札機１００）によって内容が認識可能であるとともに、人が視認することによって内容が認識できないものであれば如何なる態様であってもよい。
【００１３】
自動改札機１００は、例えば、駅の改札口に設けられる。自動改札機１００は、端末装置１０の表示画面に表示された第１の読取画像ＣＤ１または第２の読取画像ＣＤ２から情報を読み取ることによって、利用者の通過を許可または禁止する。なお、本実施形態において自動改札機１００は、第１の読取画像ＣＤ１または第２の読取画像ＣＤ２のみを処理可能な装置として説明するがこれに限られない。例えば、自動改札機１００は、更に交通系ＩＣカードや磁気券、コードが印刷された紙券等を並行して処理可能な装置であってもよい。
【００１４】
駅務サーバ装置２００は、例えば、ＬＡＮ（Local Area Network）等のネットワークを介して通信を行う。また、駅務サーバ装置２００は、自動改札機１００から取得した情報を、ＬＡＮやＷＡＮ（Wide Area Network）、セルラー網やＷｉ−Ｆｉ網、専用回線、プロバイダ、インターネット等を含むネットワークＮＷを介して、センターサーバ装置３００に送信する。更に、駅務サーバ装置２００は、センターサーバ装置３００から受信した情報を自動改札機１００等に送信する。
【００１５】
センターサーバ装置３００は、駅務サーバ装置２００およびネットワークＮＷを介して自動改札機１００から受信した情報に基づいて、種々の処理を行う。また、センターサーバ装置３００は、端末装置１０とネットワークＮＷを介して通信を行う。センターサーバ装置３００は、「管理部」の一例である。
【００１６】
店舗サーバ装置４００は、Ａ駅内にある駅ナカ店舗ａへの来店要求を端末装置１０から受け付けて、光学読取部を備える自動改札機に翳すことで駅構内への入場が可能となる入場券に対応した第１の読取画像ＣＤ１を生成するための情報を端末装置１０に送信する。また、店舗サーバ装置４００は、店舗端末５００から入場券に対応付けられたコード情報（入場コード）を受け付けると、自動改札機１００を通過して、Ａ駅構外に出場するための第２の読取画像ＣＤ２を生成するための情報を端末装置１０に送信する。
【００１７】
店舗端末５００は、端末装置１０からＡ駅構内への入場時に用いた第１の読取画像ＣＤ１を読み取り、読み取った第１の読取画像から得られた入場コードを店舗サーバ装置４００に送信する。
【００１８】
また、店舗端末５００は、端末装置１０の利用者が駅ナカ店舗ａで購入した情報を、上述した入場コードとともに、店舗サーバ装置４００に送信してもよい。これにより、実施形態における入場券の利用者に対する購入履歴を店舗サーバ装置４００で管理することができる。店舗端末５００は、例えば駅構内の店舗等に設置されるＰＯＳ（Point Of Sales）端末等である。なお、店舗端末５００は、駅務サーバ装置２００を経由して店舗サーバ装置４００と通信してもよく、駅務サーバ装置２００を経由せずに通信ネットワークＮＷを介して店舗サーバ装置４００と通信してもよい。
【００１９】
以下、端末装置１０、自動改札機１００、センターサーバ装置３００、店舗サーバ装置４００、および店舗端末５００についてそれぞれ説明する。
【００２０】
［端末装置］
まず、端末装置１０について説明する。図２は、実施形態における端末装置１０の構成の一例を示す図である。端末装置１０は、例えば、操作部１１と、表示部１２と、端末側通信部１３と、入場券取得処理部１４と、出場券取得処理部１５と、端末側記憶部３０とを備える。入場券取得処理部１４および出場券取得処理部１５は、例えば、ＣＰＵ（Central Processing Unit）等のプロセッサが端末側記憶部３０に記憶されたプログラム（例えば、コード画像取得アプリ３１）を実行することにより実現される。すなわち、コード画像取得アプリ３１が実行されることで、入場券取得処理部１４および出場券取得処理部１５が動作する。プログラムは、例えば、ネットワークＮＷを介してアプリケーションサーバ（図示せず）や店舗サーバ装置４００、センターサーバ装置３００からダウンロードされてもよいし、ＳＤカード等の可搬型記憶媒体に格納されたものが端末装置１０にインストールされてもよい。また、入場券取得処理部１４および出場券取得処理部１５のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００２１】
端末側記憶部３０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。端末側記憶部３０は、プロセッサが実行するコード画像取得アプリ３１等のプログラムを格納する。
【００２２】
操作部１１は、例えば、ボタン、キーボード、マウス、マイク、タッチパネル等のユーザインターフェースである。なお、表示部１２がタッチパネルである場合、操作部１１の一部は表示部１２と一体として形成される。操作部１１は、例えば、利用者による、第１の読取画像ＣＤ１および第２の読取画像ＣＤ２を表示部１２に表示させるための入力操作を受け付ける。また、操作部１１は、第１の読取画像ＣＤ１と第２の読取画像ＣＤ２との画面表示を切り替える切り替え操作を受け付ける。操作部１１は、「受付部」の一例である。
【００２３】
表示部１２は、例えば、ＬＣＤ（Liquid Crystal Display）や有機ＥＬ（Electroluminescence）ディスプレイ等の表示装置を含む。表示部１２は、入場券取得処理部１４および出場券取得処理部１５等によって出力される情報に基づいて各種画像を表示する。
【００２４】
端末側通信部１３は、ネットワークＮＷを介して他の端末装置１０、センターサーバ装置３００、店舗サーバ装置４００、および店舗端末５００と通信する。
【００２５】
入場券取得処理部１４は、入場券を取得するための情報の入力を受け付ける入場券取得画面を表示部１２に表示させたり、入場券取得画面に入力された情報を端末側通信部１３により店舗サーバ装置４００に送信させたりする。また、入場券取得処理部１４は、端末側通信部１３により受信された店舗サーバ装置４００からの情報に基づいて、第１の読取画像ＣＤ１を表示部１２に表示させる。
【００２６】
例えば、コード画像取得アプリ３１がタッチ操作される等して起動すると、入場券取得処理部１４は、入場券取得のための入場券取得画面を端末装置１０に表示させる。入場券取得画面は、端末装置１０の利用者が、予めユーザ登録をしておき、例えばユーザＩＤやパスワードを入力してログインした後に、所定の操作をすることで表示される。
【００２７】
図３は、コード画像取得アプリ３１が起動された際に、端末装置１０の表示部１２に入場券を表示させるための入場券取得画面が表示された様子を示す図である。入場券取得画面には、日本語や英語、フランス語、中国語等といった端末装置１０の設定言語を設定するための領域Ａ１、来店する予定の店舗名を指定するための領域Ａ２、入場券の発行要求を確定するためのボタンＢ１等が設けられてよい。端末装置１０の設定言語は、コード画像取得アプリ３１内での設定言語であってもよいし、端末装置１０のＯＳ（Operating System）の設定言語であってもよい。
【００２８】
上述した領域に各種情報が入力されて、図中「ＹＥＳ」ボタンが操作されると、入場券の発行要求が確定する。また、図中「ＮＯ」ボタンが操作されると、入場券取得画面の表示を終了するとともに、コード画像取得アプリ３１を終了させる処理が行われる。
【００２９】
図中「ＹＥＳ」ボタンが操作され、入場券の発行要求が確定した場合、入場券取得処理部１４は、端末側通信部１３を用いて、入力された情報を入場券要求情報（第１画像リクエスト）として店舗サーバ装置４００に送信する。ここで、第１画像リクエストとは、上述した「第１の読取画像ＣＤ１」を要求するリクエストである。なお、図中「ＮＯ」ボタンが操作されると、入場券取得画面が閉じて、コード画像取得アプリ３１が終了する。
【００３０】
端末装置１０は、上述した入場券要求情報に対応する第１の読取画像ＣＤ１を生成するための情報を取得し、取得した情報に基づいて、第１の読取画像ＣＤ１を生成する。端末装置１０は、生成した第１の読取画像ＣＤ１を自動的に、或いは表示確認を得てから表示部１２に表示する。
【００３１】
図４は、入場券表示画面が表示された様子を示す図である。入場券取得処理部１４は、端末側通信部１３が店舗サーバ装置４００から受信した入場券要求情報に対するレスポンス情報（第１の読取画像ＣＤ１を生成するための情報）に基づいて、図４の入場券表示画面を生成し、生成した入場券表示画面を表示部１２に表示させる。入場券表示画面には、入場駅名を表示するための領域Ａ３、店舗名を表示するための領域Ａ４、自動改札機１００により入場可能な有効期限を表示するための領域Ａ５、出場券を取得するための情報等を表示するための領域Ａ６、第１の読取画像ＣＤ１を表示するための領域Ａ７、およびメニュー画面等の他の画面に切り替えるためのボタンＢ２等が設けられてよい。
【００３２】
例えば、入場券取得処理部１４は、操作部１１により「メニュー画面」ボタンが選択されたことを受け付けると、表示部１２に表示される画面を予め設定された画面（例えば、ホーム画面）に切り替える。また、入場券取得処理部１４は、メニュー画面に切り替わった後も所定の操作を行うことで、図４に示す入場券表示画面に切り替えて、表示部１２に表示させることができる。
【００３３】
出場券取得処理部１５は、端末側通信部１３により受信された出場券（例えば、第２の読取画像ＣＤ２）を表示部１２に表示させる。図５は、出場券表示画面が表示された様子を示す図である。出場券取得処理部１５は、端末側通信部１３が店舗サーバ装置４００から受信した第２の読取画像ＣＤ２を生成するための情報に基づいて、図５に例示する出場券表示画面を生成し、生成した出場券表示画面を表示部１２に表示させる。
【００３４】
出場券表示画面には、出場券の有効期限を表示するための領域Ａ８、第２の読取画像ＣＤ２を用いた出場方法の説明を表示するための領域Ａ９、第２の読取画像ＣＤ２を表示する領域Ａ１０、メニュー画面等の他の画面に切り替えるためのボタンＢ３等が設けられてよい。例えば、出場券取得処理部１５は、操作部１１により「メニュー画面」ボタンが選択されたことを受け付けると、表示部１２に表示される画面を予め設定された画面（例えば、ホーム画面）に切り替える。また、出場券取得処理部１５は、メニュー画面に切り替わった後も所定の操作を行うことで、図５に示す出場券表示画面に切り替えて、表示部１２に表示させることができる。
【００３５】
なお、上述した入場券表示画面または出場券表示画面と、他の画面（例えば、メニュー画面）との表示の切り替えは、上述したように画面上に予め設定されたボタンを選択するだけでなく、例えば端末装置１０のタッチパネルに対するスワイプ操作やフリック操作を受け付けることで、各画面の切り替えを行ってもよい。
【００３６】
［自動改札機］
次に、自動改札機１００について説明する。なお、以下の説明では、主に自動改札機１００が、上述した第１の読取画像ＣＤ１を用いた駅構内への入場または第２の読取画像ＣＤ２を用いた駅構外への出場に対して、利用者の通過の許可または禁止を制御する例について説明する。
【００３７】
図６は、実施形態における自動改札機１００を上方から見た図である。自動改札機１００は、例えば、通路を挟んで対向配置される主機１１０と従機１３０とを備えてよい。主機１１０は、例えば、画像読取部１１１と、上面表示部１１２と、正面表示部１１３と、扉部１１４および１１５と、改札機側制御部１５０とを備える。また、従機１３０は、画像読取部１３１と、上面表示部１３２と、正面表示部１３３と、扉部１３４および１３５とを備える。
【００３８】
主機１１０の画像読取部１１１は、図６に示すａ方向に通過しようとする利用者によって翳された端末装置１０により表示された第１の読取画像ＣＤ１を撮像し、画像データを改札機側制御部１５０に送信する。
【００３９】
上面表示部１１２は、画像読取部１１１に対して端末装置１０が翳された場合に、改札機側制御部１５０によって処理された結果、またはセンターサーバ装置３００から受信した情報に基づく画像を表示する。正面表示部１１３は、図６に示すａ方向に通過可能であるか否かを示すマークや図形、文字等を表示する。正面表示部１１３の表示内容または表示の有無は、改札機側制御部１５０によって決定される。
【００４０】
一方、従機１３０の画像読取部１３１は、図６に示すｂ方向に通過しようとする利用者によって翳された端末装置１０に表示された第１の読取画像ＣＤ１を撮像し、画像データを改札機側制御部１５０に送信する。上面表示部１３２は、画像読取部１３１に対して端末装置１０が翳された場合に、改札機側制御部１５０によって処理された結果、またはセンターサーバ装置３００から受信した情報に基づく画像を表示する。正面表示部１３３は、図６に示すｂ方向に通過可能であるか否かを示すマークや図形、文字等を表示する。正面表示部１３３の表示内容または表示の有無は、改札機側制御部１５０によって決定される。
【００４１】
改札機側制御部１５０は、図６に示すａ方向への利用者の通過を許可する動作モードに自動改札機１００が設定されている場合、扉部１１５および１３５を開放状態に維持するとともに、扉部１１４および１３４を開放状態または閉止状態に制御することで、ａ方向の利用者の通過を許可または禁止する。また、改札機側制御部１５０は、図６に示すｂ方向への利用者の通過を許可する動作モードに自動改札機１００が設定されている場合、扉部１１４および１３４を開放状態に維持するとともに、扉部１１５および１３５を開放状態または閉止状態に制御することで、ｂ方向の利用者の通過を許可または禁止する。
【００４２】
また、自動改札機１００の動作モードには、図６に示すａ方向の通過とｂ方向の通過との双方を許可する動作モードが含まれていてもよい。この場合、改札機側制御部１５０は、例えば、利用者が通過中でなければ正面表示部１１３と正面表示部１３３の双方に通過を許可することを示すマークや図形、文字等を表示させる制御を行う。また、改札機側制御部１５０は、例えば、利用者がａ方向およびｂ方向のいずれかの側から進入し、画像読取部１１１と画像読取部１３１とのいずれか一方に端末装置１０が翳されると、他方の画像読取部を無効化するとともに、利用者が進入してきていない側の表示部（正面表示部１１３または正面表示部１３３）に、通過を禁止することを示すマークや図形、文字等を表示させる制御を行う。
【００４３】
なお、自動改札機１００は、上述したように利用者が双方向に通過可能なものに限らず、主機と補機（従機）により構成される、利用者が一方向にのみ通過可能なものであってもよい。
【００４４】
図７は、自動改札機１００の画像読取部１１１を上方から見た図である。画像読取部１１１は、例えば、タッチ面表示部ＰＮ１およびカメラＣＡＭ１を備える。タッチ面表示部ＰＮ１は、例えば、ＬＣＤや有機ＥＬディスプレイであり、上方から見てカメラＣＡＭ１の周囲に配置される。カメラＣＡＭ１は、利用者によって自機前に翳された物体を撮像する。例えば、表示画面に第１の読取画像ＣＤ１が表示された端末装置１０が利用者によって翳されると、カメラＣＡＭ１は、端末装置１０の表示画面を撮像する。カメラＣＡＭ１は、例えば、ＣＣＤ（Charge-Coupled Device）やＣＭＯＳ（Complementary Metal Oxide Semiconductor）等のイメージセンサを有する。なお、図７に示す画像読取部１１１の構成は、従機１３０の画像読取部１３１にも同様に適用してもよい。すなわち、従機１３０の画像読取部１３１は、タッチ面表示部ＰＮ１およびカメラＣＡＭ１を含む構成であってもよい。
【００４５】
図８は、自動改札機１００の機能構成の一例を示す図である。自動改札機１００は、図６に示す構成の他、例えば、外部装置と通信を行う改札機側通信部１４５と、改札機側制御部１５０の指示に従って音声を出力するスピーカ１４０と、種々の情報を格納する改札機側記憶部１７０とを更に備える。改札機側制御部１５０は、通信制御部１５２と、画像処理部１５４と、通過可否判定部１５６と、通過制御部１５８とを備える。上述した画像読取部１１１、１３１と画像処理部１５４とを合わせたものは、「第１の光学読取部」の一例である。
【００４６】
改札機側制御部１５０の構成要素の一部または全部は、ＣＰＵ等のプロセッサが改札機側記憶部１７０に記憶されたプログラムを実行することにより実現されてよい。また、改札機側制御部１５０の構成要素の一部または全部は、ＬＳＩ、ＡＳＩＣ、ＦＰＧＡ等のハードウェアによって実現され、それぞれの機能を実現するための回路構成を有してもよい。また、改札機側制御部１５０の構成要素の一部または全部は、ソフトウェアとハードウェアの協働によって実現されてもよい。
【００４７】
改札機側記憶部１７０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。改札機側記憶部１７０は、プロセッサが実行するプログラムを格納する他、自機が設置された駅の識別情報や、各種表示部に表示させる画像データやテキストデータ、スピーカ１４０に出力させる音声データ、運賃テーブル等を格納する。画像データ、テキストデータ、および音声データは、コード画像取得アプリ３１において設定され得る端末装置１０の設定言語の数に対応した数だけ用意されてよい。運賃テーブルは、例えば、駅の区間に対して運賃が対応付けられた情報である。
【００４８】
通信制御部１５２は、改札機側通信部１４５を用いて、画像処理部１５４による処理結果、画像読取部１１１（１３１）に読取画像ＣＤが翳された時刻、自機が設置された駅の識別情報等を、駅務サーバ装置２００を介してセンターサーバ装置３００に送信する。また、通信制御部１５２は、改札機側通信部１４５を用いて、センターサーバ装置３００により駅務サーバ装置２００を介して送信された情報を受信してもよい。自機が設置された駅の識別情報（駅ＩＤ）は、予め改札機側記憶部１７０に格納されてよい。
【００４９】
画像処理部１５４は、例えば、画像読取部１１１（１３１）のカメラＣＡＭにより撮像された画像における読取画像ＣＤの部分を解析して配列情報を取得し、配列情報をデコードして、ビット列等で表されるコンピュータが認識可能な電子情報に変換する。電子情報には、前述した効力情報が含まれる。
【００５０】
通過可否判定部１５６は、画像処理部１５４により取得された情報に基づいて、利用者の通過可否を判定する。
【００５１】
通過制御部１５８は、通過可否判定部１５６による判定結果に基づいて、利用者の通過を許可、あるいは禁止する制御を行う。例えば、通過制御部１５８は、画像処理部１５４によって第１の読取画像ＣＤ１または第２の読取画像ＣＤ２が抽出されない場合、または抽出された第１の読取画像または第２の読取画像ＣＤ２がデコードされない、あるいはデコードされた結果が無効な場合、利用者の通過を禁止する制御を行う。通過制御部１５８は、通過の許可または禁止の判定に応じて、扉部１１４、１１５、１３４、１３５、スピーカ１４０、上面表示部１１２、１３２、正面表示部１１３、１３３、タッチ面表示部ＰＮ、またはこれらを組み合わせたものを制御する。なお、通過制御部１５８は、画像処理部１５４により取得された情報に、端末装置１０（コード画像取得アプリ３１）における設定言語の情報が含まれている場合、この設定言語に合わせて各種表示部に表示させる画像データ（またはテキストデータ）やスピーカ１４０に出力させる音声データを選択してよい。
【００５２】
［センターサーバ装置］
次に、センターサーバ装置３００について説明する。図９は、実施形態におけるセンターサーバ装置３００の機能構成の一例を示す図である。センターサーバ装置３００は、例えば、センターサーバ側通信部３１０と、センターサーバ側制御部３２０と、センターサーバ側記憶部３３０とを備える。
【００５３】
センターサーバ側通信部３１０は、上述したネットワークＮＷを介して、端末装置１０、自動改札機１００、店舗サーバ装置４００、および店舗端末５００と通信を行う。
【００５４】
センターサーバ側制御部３２０は、例えば、入出場管理部３２２と、入場券決済制御部３２４とを備える。センターサーバ側制御部３２０のこれらの構成要素のうち一部または全部は、ＣＰＵ等のプロセッサがセンターサーバ側記憶部３３０に記憶されたプログラムを実行することにより実現される。また、センターサーバ側制御部３２０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００５５】
センターサーバ側記憶部３３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。センターサーバ側記憶部３３０は、プロセッサが実行するプログラムを格納する他、後述する入場者リスト（入場者情報）３３２、および決済情報データベース３３４を格納する。
【００５６】
入出場管理部３２２は、センターサーバ側通信部３１０により、店舗サーバ装置４００から受信された入場コードＩＤに基づいて、入場者リスト３３２を生成する。図１０は、入場者リスト３３２の一例を示す図である。入場者リスト３３２は、店舗ＩＤごとに生成されてよい。図１０に示す入場者リスト３３２は、上述した入場コードＩＤに対して、来店済フラグ、来店日時、出場コードＩＤ等の情報が対応付けられた情報である。入出場管理部３２２は、店舗サーバ装置４００から受信された入場者コードＩＤを用いて入場者リスト３３２を検索し、入場コードＩＤが見つからなかった場合に、入場者リスト３３２の一つのレコードを新規作成する。来店済フラグは、端末装置１０の利用者が駅ナカ店舗ａに来店したか否かを示す情報である。初期状態では、来店していないことを示す「未」がセットされる。
【００５７】
来店日時は、店舗端末５００により第１の読取画像ＣＤ１が読み取られた日時でもよく、センターサーバ装置３００が、店舗サーバ装置４００からの情報を受信した日時でもよく、店舗サーバ装置４００が情報を送信した日時でもよい。出場コードＩＤは、端末装置１０において表示される第２の読取画像ＣＤ２に対応する識別情報である。
【００５８】
入出場管理部３２２は、店舗サーバ装置４００から送信された店舗端末５００からの入場コードＩＤおよび出場券要求情報に基づいて、入場者リスト３３２に、来店者フラグや来店日時を登録する。例えば、入出場管理部３２２は、受信した入場コードＩＤを用いて入場者リスト３３２を検索し、入場コードＩＤが見つかった場合に、入場コードＩＤに対応するレコードの来店済フラグを「未」から「済」に変更し、来店日時に日時をセットする。更に、入出場管理部３２２は、出場コードＩＤを生成し、生成した出場コードＩＤをセンターサーバ側通信部３１０によって、店舗サーバ装置４００に送信する。このとき、生成した出場コードＩＤは、入場コードＩＤに対応付けられて入場者リスト３３２に格納される。
【００５９】
また、入出場管理部３２２は、センターサーバ側通信部３１０によって自動改札機１００から送信された出場コードＩＤを受信した場合、受信した出場コードＩＤを用いて入場者リスト３３２を検索する。出場コードＩＤが見つかった場合、入出場管理部３２２は、自動改札機１００に対して、利用者の通過を許可する信号を送信するとともに、その出場コードＩＤに対応するレコードを削除する。
【００６０】
また、入出場管理部３２２は、入場者リスト３３２から出場コードＩＤに基づく対象レコードが抽出されなかった場合に、対象の出場コードＩＤがすでに使用されており、複製使用されている可能性があるため、利用者の通過を禁止する信号を、自動改札機１００に送信する。
【００６１】
入場券決済制御部３２４は、入場者リスト３３２で作成されたレコードの回数を、店舗ＩＤごとにカウントし、決済情報データベース３３４で管理する。
【００６２】
図１１は、決済情報データベース３３４の一例を示す図である。図示のように、決済情報データベース３３４は、店舗ＩＤに対して、入場券発行回数と、料金等の情報が対応付けられた情報である。入場券発行回数は、時間ごと、日ごと、週ごと、月ごと等、所定の間隔でまとめたものである。また、料金は、入場券発行回数に、所定の入場券の料金（例えば、１４０円）等を乗算した金額である。
【００６３】
また、入場券決済制御部３２４は、決済情報データベース３３４で管理される費用を、所定のタイミングで、センターサーバ側通信部３１０から店舗ＩＤに対応する店舗サーバ装置４００に送信する。これにより、端末装置１０が利用した入場券の支払いを店舗サーバ装置４００に請求することができる。したがって、端末装置１０の利用者は、入場券を購入することなく、無料で駅ナカ店舗に訪れることができる。
【００６４】
［店舗サーバ装置］
次に、店舗サーバ装置４００について説明する。図１２は、実施形態における店舗サーバ装置４００の機能構成の一例を示す図である。店舗サーバ装置４００は、例えば、店舗サーバ側通信部４１０と、店舗サーバ側制御部４２０と、店舗サーバ側記憶部４３０とを備える。
【００６５】
店舗サーバ側通信部４１０は、上述したネットワークＮＷを介して、端末装置１０やセンターサーバ装置３００、店舗端末５００と通信を行う。
【００６６】
店舗サーバ側制御部４２０は、アプリ連携処理部４２２と、入場券発行制御部（第１発行部）４２４と、出場券発行制御部（第２発行部）４２６とを備える。店舗サーバ側制御部４２０のこれらの構成要素のうち一部または全部は、ＣＰＵ等のプロセッサが店舗サーバ側記憶部４３０に記憶されたプログラムを実行することにより実現される。また、店舗サーバ側制御部４２０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００６７】
店舗サーバ側記憶部４３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。店舗サーバ側記憶部４３０は、プロセッサが実行するプログラムを格納する他、後述する店舗−駅対応テーブル４３２を格納する。なお、店舗サーバ側記憶部４３０は、店舗ＩＤまたはユーザＩＤに対して、購入を行った場合の購入商品、数、金額、購入日等を含む購入履歴を格納する購入履歴データベースを備えてもよい。
【００６８】
アプリ連携処理部４２２は、店舗サーバ側通信部４１０を用いて、コード画像取得アプリ３１が起動された端末装置１０と通信を行い、端末装置１０の画面に表示させる画像を制御する。
【００６９】
例えば、アプリ連携処理部４２２は、店舗サーバ側通信部４１０により利用者により選択された店舗名の情報に基づいて、店舗−駅対応テーブル４３２を参照し、店舗名に対応する駅ＩＤを取得する。
【００７０】
図１３は、店舗−駅対応テーブル４３２の一例を示す図である。図示のように、店舗−駅対応テーブル４３２は、店舗名に対して、店舗ＩＤ、その店舗がある駅を識別する駅ＩＤ、および駅ＩＤに対応する駅名等の情報が対応付けられた情報である。店舗ＩＤは、駅ナカ店舗のそれぞれを識別するための情報であってもよく、一又は複数の駅ナカ店舗を管理する店舗サーバ装置４００の識別情報でもよい。また、店舗−駅対応テーブル４３２には、駅名または店舗名の情報が含まれていなくてもよい。
【００７１】
入場券発行制御部４２４は、アプリ連携処理部４２２により取得される駅ＩＤを含み、更にランダムに或いは一連番号等として入場コードＩＤを生成し、更に有効期限の情報等を含めた入場情報に基づいて、画像生成情報を生成する。入場コードＩＤは、駅ＩＤに対応する駅に設置された自動改札機１００を通過することが可能な情報である。店舗サーバ装置４００は、予めセンターサーバ装置３００等から駅ＩＤごとの入場コードＩＤを取得していてもよく、入場コードＩＤの生成時にセンターサーバ装置３００に問い合わせを行い、駅ＩＤに対応する入場コードＩＤを取得してもよい。また、有効期限は、例えば、一律に３０分後といったように所定の時間が定められてもよいし、店舗ごとに期間が予め設定されてもよい。有効期限を設定しておくことで、入場コードＩＤに基づいて生成される第１の読取画像ＣＤ１を店舗に行く用途以外の用途で不正に使用されたり、駅ナカ店舗の閉店時間前に、駅ナカ店舗で出場コードＩＤを取得できるようにすることができる。
【００７２】
入場券発行制御部４２４は、生成した画像生成情報を端末装置１０に送信する。画像生成情報は、例えば、第１の読取画像ＣＤ１の画像データそのもの、或いは圧縮された画像データであってもよいし、第１の読取画像ＣＤ１の元となる入場コードＩＤ等が文字や数値等に変換されたテキストデータまたはバイナリデータであってもよい。また、画像生成情報は、第１の読取画像ＣＤ１を表示するウェブサイトのＵＲＬ（Uniform Resource Locator）であってもよい。
【００７３】
端末装置１０は、画像生成情報を店舗サーバ装置４００から受信すると、画像生成情報に基づいて第１の読取画像ＣＤ１を表示する。なお、画像生成情報がテキストデータまたはバイナリデータである場合、端末装置１０は、それらのデータに基づく入場コードＩＤを第１の読取画像ＣＤ１にエンコードし、当該第１の読取画像ＣＤ１を含む情報を表示部１２に描画（レンダリング）する。また、端末装置１０は、例えば、後日使用する旨の情報を付して入場券要求情報を店舗サーバ装置４００に送信した場合、画像生成情報から生成した第１の読取画像ＣＤ１を直ちに表示せず、端末側記憶部３０に記憶させてもよい。
【００７４】
出場券発行制御部４２６は、アプリ連携処理部４２２により得られる店舗端末５００からの入場コードＩＤを、出場券要求情報とともに、センターサーバ装置３００に送信する。そして、出場券発行制御部４２６は、センターサーバ装置３００から、入場コードＩＤに対応する出場コードＩＤ、有効期限情報等を取得する。
【００７５】
また、出場券発行制御部４２６は、取得した出場コードＩＤを含む出場情報に基づいて画像生成情報を生成し、この画像生成情報を端末装置１０に送信する。画像生成情報は、例えば、第２の読取画像ＣＤ２の画像データそのもの、或いは圧縮された画像データであってもよいし、第２の読取画像ＣＤ２の元となる出場コードＩＤ等が文字や数値等に変換されたテキストデータまたはバイナリデータであってもよい。また、画像生成情報は、第２の読取画像ＣＤ２を表示するウェブサイトのＵＲＬであってもよい。
【００７６】
また、出場情報には、出場コードＩＤが使用可能となる有効期限を設定してもよい。有効期限を設定しておくことで、出場コードＩＤに基づいて生成される第２の読取画像ＣＤ２を後日利用することを防止することができる。
【００７７】
端末装置１０は、画像生成情報を店舗サーバ装置４００から受信すると、画像生成情報に基づいて第２の読取画像ＣＤ２を表示する。なお、画像生成情報がテキストデータまたはバイナリデータである場合、端末装置１０は、それらのデータに基づく出場コードＩＤを第２の読取画像ＣＤ２にエンコードし、当該第２の読取画像ＣＤ２を含む情報を表示部１２に描画（レンダリング）する。
【００７８】
［店舗端末］
次に、店舗端末５００について説明する。図１４は、実施形態における店舗端末５００の外観図である。図１４では、店舗端末５００の一例として、駅ナカ店舗に設置され、物販に対する費用の支払い時に利用されるＰＯＳ端末を示しているが、これに限られるものではなく、例えば入場券（第１の読取画像ＣＤ１）を読み取ることで、出場券に相当する第２の読取画像ＣＤ２を端末装置１０に送信するための専用の装置であってもよい。
【００７９】
図１４に示す店舗端末５００は、画像読取部５１０と、表示部５１２と、操作部５１４と、貨幣収納部５１６とを備える。画像読取部５１０は、端末装置１０の表示部１２に表示された第１の読取画像ＣＤ１を読み取る。
【００８０】
表示部５１２は、画像読取部５１０に対して端末装置１０が翳された場合に、店舗端末５００によって処理された結果、または店舗サーバ装置４００から受信した情報に基づく画像を表示する。また、表示部５１２は、購入した商品に対する金額、決済結果に関する表示を表示する。決済結果に関する情報とは、決済が正常に完了したことを示す情報や、決済が完了しなかった理由を示す情報である。
【００８１】
操作部５１４は、店舗端末５００の利用者（例えば、店員）による、出場券の発行指示や、端末装置１０の利用者が購入する少なくとも１つの商品に関する情報、金額に関する情報等の入力を受け付ける。なお、操作部５１４は、タッチパネルとして、上述した表示部５１２と一体に形成されてもよい。
【００８２】
貨幣収納部５１６は、貨幣を格納する。貨幣は、商品を購入する購入者により支払われる硬貨や紙幣であってもよく、また釣銭用として予め準備された硬貨や紙幣であってもよい。貨幣収納部５１６は、操作部５１４に対する操作に応じて貨幣の収納や排出を行う。
【００８３】
図１５は、店舗端末５００の画像読取部５１０を上方から見た図である。画像読取部５１０は、例えば、タッチ面表示部ＰＮ２およびカメラＣＡＭ２を備える。タッチ面表示部ＰＮ２は、例えば、ＬＣＤや有機ＥＬディスプレイであり、上方から見てカメラＣＡＭ２の周囲に配置される。カメラＣＡＭ２は、利用者によって自機前に翳された物体を撮像する。例えば、表示画面に第１の読取画像ＣＤ１が表示された端末装置１０が利用者によって翳されると、カメラＣＡＭ２は、端末装置１０の表示画面を撮像する。カメラＣＡＭ２は、例えばＣＣＤやＣＭＯＳ等のイメージセンサを有する。
【００８４】
図１６は、実施形態における店舗端末５００の機能構成の一例を示す図である。店舗端末５００は、画像読取部５１０と、表示部５１２と、操作部５１４と、貨幣収納部５１６と、スピーカ５１８と、店舗端末側通信部５２０と、店舗端末側制御部５３０と、店舗端末側記憶部５４０とを備える。店舗端末側制御部５３０は、通信制御部５３２と、画像処理部５３４と、精算部５３６とを備える。上述した画像読取部５１０と、画像処理部５３４とを合わせたものは、「第２の光学読取部」の一例である。なお、第２の光学読取部は、駅ナカ店舗の内部に設けられてもよく、また駅ナカ店舗の周辺に設けられてもよい。
【００８５】
店舗端末側制御部５３０の構成要素の一部または全部は、ＣＰＵ等のプロセッサが店舗端末側記憶部５４０に記憶されたプログラムを実行することにより実現されてよい。また、店舗端末側記憶部５４０の構成要素の一部または全部は、ＬＳＩ、ＡＳＩＣ、ＦＰＧＡ等のハードウェアによって実現され、それぞれの機能を実現するための回路構成を有してもよい。また、店舗端末側制御部５３０の構成要素の一部または全部は、ソフトウェアとハードウェアの協働によって実現されてもよい。
【００８６】
店舗端末側記憶部５４０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。店舗端末側記憶部５４０は、プロセッサが実行するプログラムを格納する他、自機が設置された駅の識別情報や売店情報、各種表示部に表示させる画像データやテキストデータ、スピーカ５１８に出力させる音声データ、画像データ、テキストデータ、および音声データは、コード画像取得アプリ３１において設定され得る端末装置１０の設定言語の数に対応した数だけ用意されてよい。
【００８７】
通信制御部５３２は、店舗端末側通信部５２０を用いて、画像処理部５３４による処理結果、画像読取部５１０に第１の読取画像ＣＤ１が翳された時刻、自機が設置された駅の識別情報（駅ＩＤ）、店舗端末５００の識別情報（店舗ＩＤ）等を、店舗サーバ装置４００に送信する。また、通信制御部５３２は、店舗端末側通信部５２０を用いて、店舗サーバ装置４００により送信された情報を受信してもよい。駅ＩＤや店舗ＩＤ等の情報は、予め店舗端末側記憶部５４０に格納されてよい。
【００８８】
画像処理部５３４は、例えば、画像読取部５１０のカメラＣＡＭ２により撮像された画像における第１の読取画像ＣＤ１の部分を解析して配列情報を取得し、配列情報をデコードして、ビット列等で表されるコンピュータが認識可能な電子情報に変換する。電子情報には、前述した入場コードＩＤが含まれる。なお、画像処理部５３４は、カメラＣＡＭ２により撮像された画像から第１の読取画像ＣＤ１が読み取れなかった場合には、その旨を示す情報を、表示部５１２に表示したり、スピーカ５１８により音声出力する。
【００８９】
また、画像処理部５３４は、上述した電子情報を、店舗端末側通信部５２０を介して店舗サーバ装置４００に送信する。これにより、店舗サーバ装置４００およびセンターサーバ装置３００は、端末装置１０が駅ナカ店舗に来店したことを把握することができる。また、店舗サーバ装置４００は、出場券に関する情報を端末装置１０に送信することができる。
【００９０】
精算部５３６は、利用者により購入された商品の合計金額を算出し、利用者からの預かり金額との差分を算出し、算出した結果を釣銭として貨幣収納部５１６から出力させる。なお、精算部５３６は、購入金額の精算を、クレジット決済やデビット決済により行ってもよい。また、精算部５３６は、レシートの発行等の処理を行ってもよい。
【００９１】
［処理の内容］
以下、駅ナカ店舗利用システム１の一連の処理について説明する。図１７は、駅ナカ店舗利用システム１において実行される、駅構内への入場処理の一例を示すシーケンス図である。なお、本シーケンスでは、自動改札機１００とセンターサーバ装置３００との通信を仲介する駅務サーバ装置２００については説明を省略している。
【００９２】
まず、端末装置１０は、コード画像取得アプリ３１が起動されると入場券取得画面を表示する（ステップＳ１００）。次に、端末装置１０は、利用者の操作に応じて、入場券取得画面に入力された情報を含む入場券要求情報を店舗サーバ装置４００に送信する（ステップＳ１０２）。店舗サーバ装置４００は、端末装置１０から受信した入場券要求情報に含まれる各種情報に基づいて、店舗ＩＤと駅ＩＤとに対応する入場コードＩＤを含む画像生成情報を生成する（ステップＳ１０４）。なお、ここでは重複する入場コードＩＤのレコードが存在しないものとしている。次に、センターサーバ装置３００は、生成した画像生成情報を、入場券要求情報に対するレスポンス情報として端末装置１０に送信する（ステップＳ１０６）。次に、店舗サーバ装置４００は、入場コードＩＤおよび店舗ＩＤに関する情報等をセンターサーバ装置３００に送信する（ステップＳ１０８）。次に、センターサーバ装置３００は、店舗サーバ装置４００から受信した入場コードＩＤおよび店舗ＩＤに基づいて、入場者リスト３３２を生成する（ステップＳ１１０）。
【００９３】
次に、端末装置１０は、店舗サーバ装置４００から受信した画像生成情報に基づいて、第１の読取画像ＣＤ１を生成し（ステップＳ１１２）、生成した第１の読取画像ＣＤ１を表示する（ステップＳ１１４）。これにより、利用者は、端末装置１０を自動改札機１００に翳すことで駅構内に入場することができる。
【００９４】
自動改札機１００は、第１の読取画像ＣＤ１を表示した端末装置１０が翳された場合、端末装置１０から第１の読取画像ＣＤ１を読み取り、読み取った第１の読取画像ＣＤ１から入場コードＩＤおよび有効期限等を取得する（ステップＳ１１６）。次に、自動改札機１００は、取得した入場コードＩＤおよび有効期限と、現在の時刻情報と、自機が設置された駅の識別情報（すなわち入場駅の識別情報）とに基づいて、入場する利用者の通過可否を判定する（ステップＳ１１８）。以下では、現在時刻が有効期限を超えてなく、且つ駅に対応した入場コードＩＤであるため、通過が許可されたものとする。これによって、図１７のシーケンス図に示す１回の処理が終了する。
【００９５】
図１８は、駅ナカ店舗利用システム１において実行される、駅構外への出場処理の一例を示すシーケンス図である。まず、端末装置１０による出場券取得処理について説明する。図１８の例において、端末装置１０は、図１７の処理の終了時点から引き続き入場券表示画面を表示している（ステップＳ２００）。利用者は、第１の読取画像ＣＤ１を表示した端末装置１０を、店舗端末５００の画像読取部５１０に翳す。これにより、利用者は、自動改札機１００を通過して駅構外へ出場するための出場券要求を行うことができる。
【００９６】
次に、店舗端末５００は、読み取った画像から入場コードＩＤを含む情報を取得し（ステップＳ２０２）、取得した入場コードＩＤを含む情報を店舗サーバ装置４００に送信する（ステップＳ２０４）。次に、店舗サーバ装置４００は、入場コードＩＤおよび出場券要求情報をセンターサーバ装置３００に送信する（ステップＳ２０８）。次に、センターサーバ装置３００は、店舗サーバ装置４００から受信した入場コードＩＤに基づいて、入場者リスト３３２の来店済フラグに来店したことを示す情報を付与することともに、来店日時を格納する（ステップＳ２１０）。次に、センターサーバ装置３００は、入場コードＩＤに対応する出場コードＩＤを生成し、生成した出場コードＩＤを店舗サーバ装置４００に送信する（ステップＳ２１２）。なお、出場コードＩＤは、入場コードＩＤに対応付けて入場者リストに格納される。
【００９７】
次に、店舗サーバ装置４００は、センターサーバ装置３００から受信した出場コードＩＤを含む画像生成情報を生成する（ステップＳ２１４）。次に、店舗サーバ装置４００は、生成した画像生成情報を、端末装置１０に送信する（ステップＳ２１６）。次に、端末装置１０は、店舗サーバ装置４００から受信した画像生成情報に基づいて、第２の読取画像ＣＤ２を生成し（ステップＳ２１８）、生成した第２の読取画像ＣＤ２を表示する（ステップＳ２２０）。これにより、利用者は、端末装置１０を自動改札機１００に翳すことで駅構外へ出場することができる。
【００９８】
自動改札機１００は、第２の読取画像ＣＤ２を表示した端末装置１０が翳された場合、端末装置１０から第２の読取画像ＣＤ２を読み取り、読み取った第２の読取画像ＣＤ２から出場コードＩＤおよび有効期限等を取得する（ステップＳ２２２）。次に、自動改札機１００は、取得した出場コードＩＤをセンターサーバ装置３００に送信する（ステップＳ２２４）。
【００９９】
次に、センターサーバ装置３００は、入場者リスト３３２を参照し、出場コードＩＤに対応するレコードが存在するか否かを判定する（ステップＳ２２６）。入場者リスト３３２に対応するレコードが存在する場合、通過を許可する信号を自動改札機１００に送信する（ステップＳ２２８）。なお、レコードが存在しなかった場合は、通過を禁止する信号を自動改札機１００に送信する。次に、自動改札機１００は、センターサーバ装置３００から得られる情報に基づいて、端末装置１０の利用者の通過を許可または禁止する制御を行う（ステップＳ２３０）。例えば、自動改札機１００は、センターサーバ装置３００から通過を許可する信号を受信した場合に、出場コードＩＤおよび有効期限と、現在の時刻情報と、自機が設置された駅の識別情報（駅ＩＤ）とに基づいて、出場する利用者の通過可否を判定する。例えば、現在時刻が有効期限を超えてなく、且つ駅に対応した出場コードＩＤである場合、自動改札機１００は、利用者を通過させるための制御を行う。
【０１００】
次に、センターサーバ装置３００は、入場者リスト３３２に、出場コードＩＤに対するレコードが存在する場合に、そのレコードを入場者リスト３３２から削除する（ステップＳ２３２）。次に、センターサーバ装置３００は、削除した入場者リストのレコードに対する入場券の費用請求情報を店舗サーバ装置４００に送信する（ステップＳ２３４）。これによって、図１８のシーケンス図に示す１回の処理が終了する。
【０１０１】
なお、上述した費用請求処理は、レコードを削除するごとに行ってもよく、所定期間で店舗ＩＤごとに集計した費用を請求してもよい。また、センターサーバ装置３００は、費用請求情報を店舗端末５００に送信してもよい。また、上述した駅ナカ店舗利用システム１において駅構内への入場処理が実行された後、所定期間が経過しても入場処理に対応する駅構外の出場処理が実行されなかった場合には、センターサーバ装置３００または店舗サーバ装置４００にてエラー処理が実行されてよい。
【０１０２】
次に、端末装置１０において実行される処理の流れについてフローチャートを用いて説明する。図１９は、端末装置１０において実行される処理の流れの一例を示すフローチャートである。本フローチャートの処理は、利用者等からコード画像取得アプリ３１の起動指示が受け付けられたときに開始される。
【０１０３】
まず、端末装置１０の入場券取得処理部１４は、入場券取得画面を表示する（ステップＳ３００）。次に、操作部１１を用いて画面から受け付けた入場券要求情報を店舗サーバ装置４００に送信する（ステップＳ３０２）。
【０１０４】
次に、入場券取得処理部１４は、店舗サーバ装置４００から入場情報を含む画像生成情報を端末側通信部１３が受信したか否かを判定する（ステップＳ３０４）。入場コードＩＤを含む画像生成情報を受信した場合、入場券取得処理部１４は、受信した画像生成情報に基づいて第１の読取画像ＣＤ１を生成し（ステップＳ３０６）、生成した第１の読取画像ＣＤ１を表示部１２に表示させる（ステップＳ３０８）。
【０１０５】
次に、端末側通信部１３は、店舗サーバ装置４００から出場コードＩＤを含む画像生成情報を受信したか否かを判定する（ステップＳ３１０）。店舗サーバ装置４００から出場情報を含む画像生成情報を受信した場合、出場券取得処理部１５は、受信した画像生成情報に基づいて第２の読取画像ＣＤ２を生成し（ステップＳ３１２）、生成した第２の読取画像ＣＤ２を表示部１２に表示させる（ステップＳ３１４）。
【０１０６】
ここで、上述した実施形態では、端末装置１０において起動されたコード画像取得アプリ３１の機能によって第１の読取画像ＣＤ１や第２の読取画像ＣＤ２を表示するものとして説明したがこれに限られるものではない。これらの読取画像は、端末装置１０のウェブブラウザによって表示されたウェブページ上に表示されてもよい。この場合、センターサーバ装置３００や店舗サーバ装置４００等の外部装置は、ウェブサーバとして機能するものであってよい。
【０１０７】
この場合、端末装置１０は、第１の読取画像ＣＤ１または第２の読取画像ＣＤ２が、画像として表示されるウェブページへアクセスするために、ＨＴＴＰ（Hypertext Transfer Protocol）リクエストをセンターサーバ装置３００や店舗サーバ装置４００に送信する。そして、端末装置１０は、センターサーバ装置３００や店舗サーバ装置４００から返信されたＨＴＴＰレスポンスに基づいてウェブページを表示部１２に表示させる。ウェブページには、少なくとも第１の読取画像ＣＤ１または第２の読取画像ＣＤ２の画像データが含まれる。なお、第１の読取画像ＣＤ１または第２の読取画像ＣＤ２を含むウェブページは、パスワード入力等によるユーザ認証が得られたことを条件に、端末装置１０に送信されてよい。
【０１０８】
また、上述した実施形態では、駅務サーバ装置２００は、単に自動改札機１００とセンターサーバ装置３００との通信を中継するものとして説明したがこれに限られない。例えば、駅務サーバ装置２００には、センターサーバ装置３００の構成要素の一部または全部が備えられていてもよい。例えば、入場コードＩＤに対応付けられた出場コードＩＤを発行し、出場時に入場者リストを参照して出場可否を判定する機能は、駅務サーバ装置２００にあってもよい。また、センターサーバ装置３００には、店舗サーバ装置４００の構成要素の一部または全部が備えられていてもよい。例えば、端末装置１０からの入場券要求情報に基づいて、入場コードＩＤを含む画像生成情報を生成し、生成した画像生成情報を端末装置１０に送信する機能は、センターサーバ装置３００にあってもよい。また、端末装置１０からの出場券要求情報に基づく出場コードＩＤを含む画像生成情報を生成し、生成した画像生成情報を端末装置１０に送信する機能は、センターサーバ装置３００にあってもよい。
【０１０９】
また、上述した実施形態では、端末装置１０に表示される第１の読取画像ＣＤ１および第２の読取画像ＣＤ２を生成するための情報を店舗サーバ装置４００が送信するものとしたが、例えば、第２の読取画像ＣＤ２を生成するための情報を店舗端末５００から端末装置１０に送信してもよい。この場合、店舗端末５００と端末装置１０とは、例えばＷｉ−Ｆｉ網等を用いて通信を行う。店舗端末５００は、店舗サーバ装置４００から情報を受信して、端末装置１０に転送する。
【０１１０】
以上説明した少なくとも一つの実施形態によれば、駅ナカ店舗利用システム１は、端末装置１０から、駅構内にある店舗である駅ナカ店舗を指定した入場要求を受け付けて、第１の光学読取部を備える自動改札機１００に翳すことで駅構内への入場が可能となる第１の読取画像ＣＤ１（第１画像）を生成するための情報を端末装置１０に送信する入場券発行制御部（第１発行部）４２４と、端末装置１０の利用者が駅ナカ店舗を利用した後、自動改札機１００に翳すことで駅構外への出場が可能となる第２の読取画像ＣＤ２（第２画像）を生成するための情報を端末装置１０に送信する出場券発行制御部（第２発行部）４２６と、自動改札機１００から第１の読取画像ＣＤ１に含まれる情報と第２の読取画像ＣＤ２に含まれる情報とを取得して、利用者の駅構内に対する入出場を管理するセンターサーバ装置（管理部）３００とを備えることにより、駅ナカ店舗の利便性を高め、駅全体を活性化させることができる。
【０１１１】
具体的には、駅ナカ店舗を利用する場合に、端末装置１０の利用者は、入場券を購入することなく、無料で駅ナカ店舗に訪れることができる。また、駅ナカ店舗は、来店希望者に対して無償で、その利用者の端末装置１０に出場券として機能する第２の読取画像ＣＤ２を表示するための情報を提供することで、集客効果を上げることができる。これによって、駅ナカ店舗の利便性を高め、駅全体を活性化させることができる。
【０１１２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１３】
１…駅ナカ店舗利用システム、１０…端末装置、１００…自動改札機、２００…駅務サーバ装置、３００…センターサーバ装置（管理部）、４００…店舗サーバ装置（画像発行装置）、４１０…店舗サーバ側通信部、４２０…店舗サーバ側制御部、４２２…アプリ連携処理部、４２４…入場券発行制御部（第１発行部）、４２６…出場券発行制御部（第２発行部）、５００…店舗端末
【図１】
2018032161.tif 000003
【図２】
2018032161.tif 000004
【図３】
2018032161.tif 000005
【図４】
2018032161.tif 000006
【図５】
2018032161.tif 000007
【図６】
2018032161.tif 000008
【図７】
2018032161.tif 000009
【図８】
2018032161.tif 000010
【図９】
2018032161.tif 000011
【図１０】
2018032161.tif 000012
【図１１】
2018032161.tif 000013
【図１２】
2018032161.tif 000014
【図１３】
2018032161.tif 000015
【図１４】
2018032161.tif 000016
【図１５】
2018032161.tif 000017
【図１６】
2018032161.tif 000018
【図１７】
2018032161.tif 000019
【図１８】
2018032161.tif 000020
【図１９】
2018032161.tif 000021